【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
メモリを内蔵したメモリカードがカメラ本体に対して着脱可能に装着され、被写体の光学像を電気画像信号に変換して前記メモリに記録するよう構成されたデジタルスチルカメラにおいて、
前記メモリカードがカメラ本体から取り外される前の操作状態を検出する取り外し検出手段と、
前記メモリカードに対するアクセス中に、前記取り外し検出手段で前記操作状態が検出されたときに警告を発する警告手段と、
を設けたことを特徴とするデジタルスチルカメラ。
【請求項２】
メモリを内蔵したメモリカードがカメラ本体に対して着脱可能に装着され、被写体の光学像を電気画像信号に変換して前記メモリに記録するよう構成されたデジタルスチルカメラにおいて、
前記メモリカードがカメラ本体から取り外される前の操作状態を検出する取り外し検出手段と、
前記メモリカードに対するアクセス中に、前記取り外し検出手段で前記操作状態が検出されたときに、前記メモリカードを前記カメラ本体に対して機械的にロックして取り外し不能とするロック手段と、
を設けたことを特徴とするデジタルスチルカメラ。
【請求項３】
前記メモリカードに対するアクセス中であって、前記ロック手段により前記メモリカードの取り外しを不能としていることを警告する警告手段を設けたことを特徴とする請求項２記載のデジタルスチルカメラ。
【請求項４】
前記カメラ本体に設けられた前記メモリカードの装着部が開閉可能なカード蓋で覆われる構成であり、前記取り外し検出手段が、前記カード蓋の開放を、前記メモリカードがカメラ本体から取り外される前の操作状態として検出することを特徴とする請求項１〜３のいずれか１つに記載のデジタルスチルカメラ。
【請求項５】
前記メモリカードに対するアクセス中に、前記取り外し検出手段で前記操作状態が検出され、かつ、そのときの前記メモリカードへのアクセスが時系列的に区切れる複数の処理単位からなるときに、処理中の１単位を終了した時点で処理を中断させるアクセス中断手段を設けたことを特徴とする請求項１〜４のいずれか１つに記載のデジタルスチルカメラ。
【請求項６】
前記メモリカードに内蔵されるメモリがフラッシュメモリであって、前記フラッシュメモリに記憶されている、データ書き換えの際に生じた無効データのみを消去して空き領域を作る制御を、所定の消去ブロック単位毎に行わせる構成であり、前記アクセス中断手段が、前記消去のためのアクセス中に前記取り外し検出手段で前記操作状態が検出されたときに、消去処理中の１消去ブロックの消去が終了した時点で消去処理を中断させることを特徴とする請求項５記載のデジタルスチルカメラ。
【請求項７】
メモリを内蔵したメモリカードがカメラ本体に対して着脱可能に装着され、被写体の光学像を電気画像信号に変換して前記メモリに記録するよう構成されたデジタルスチルカメラにおいて、
前記メモリカードがカメラ本体から取り外される前の操作状態を検出する取り外し検出手段と、
前記メモリカードに対するアクセス中に、前記取り外し検出手段で前記操作状態が検出され、かつ、その際の前記メモリカードへのアクセスが時系列的に区切れる複数の処理単位からなるときに、処理中の１単位を終了した時点で処理を中断させるアクセス中断手段と、
を設けたことを特徴とするデジタルスチルカメラ。
【請求項８】
前記メモリカードに内蔵されるメモリがフラッシュメモリであって、前記フラッシュメモリに記憶されている、データ書換えの際に生じた無効データのみを消去して空き領域を作る制御を、所定の消去ブロック単位毎に行わせる構成であり、前記アクセス中断手段が、前記消去のためのアクセス中に前記取り外し検出手段で前記操作状態が検出されたときに、消去処理中の１消去ブロックの消去が終了した時点で消去処理を中断させることを特徴とする請求項７記載のデジタルスチルカメラ。
【手続補正２】
【補正対象書類名】明細書
【補正対象項目名】０００２
【補正方法】変更
【補正の内容】
【０００２】
【従来の技術】
近年、被写体の光画像を、撮像レンズ，絞り等の光学撮像系を介してＣＣＤ等の固体撮像素子に結像させ、該撮像素子により光電変換されて出力される電気画像信号をデジタルデータに変換して、該デジタル画像データを、カメラ本体に対して着脱可能に装着されるメモリカードに内蔵される半導体メモリに記録するように構成されたデジタルスチルカメラが実用化されている。


【手続補正３】
【補正対象書類名】明細書
【補正対象項目名】０００９
【補正方法】変更
【補正の内容】
【０００９】
一方、請求項２記載の発明では、メモリを内蔵したメモリカードがカメラ本体に対して着脱可能に装着され、被写体の光学像を電気画像信号に変換して前記メモリに記録するよう構成されたデジタルスチルカメラにおいて、前記メモリカードがカメラ本体から取り外される前の操作状態を検出する取り外し検出手段と、前記メモリカードに対するアクセス中に、前記取り外し検出手段で前記操作状態が検出されたときに、前記メモリカードを前記カメラ本体に対して機械的にロックして取り外し不能とするロック手段と、を設ける構成とした。


【手続補正４】
【補正対象書類名】明細書
【補正対象項目名】００１７
【補正方法】変更
【補正の内容】
【００１７】
かかる構成によると、無効データの消去中に、メモリカードを取り外す操作が行われると、全ての無効データの消去、即ち、全ての消去ブロックについての消去が終了するまでメモリカードの取り外しを回避するのではなく、そのとき消去していた消去ブロックについての消去が終了した段階で、無効データ消去を中断させ、未消去の消去ブロックを残したまま、メモリカードの取り外しを許容する。
請求項７記載の発明では、メモリを内蔵したメモリカードがカメラ本体に対して着脱可能に装着され、被写体の光学像を電気画像信号に変換して前記メモリに記録するよう構成されたデジタルスチルカメラにおいて、前記メモリカードがカメラ本体から取り外される前の操作状態を検出する取り外し検出手段と、前記メモリカードに対するアクセス中に、前記取り外し検出手段で前記操作状態が検出され、かつ、その際の前記メモリカードへのアクセスが時系列的に区切れる複数の処理単位からなるときに、処理中の１単位を終了した時点で処理を中断させるアクセス中断手段と、を設ける構成とした。
かかる構成によると、メモリカードがカメラ本体から取り外されようとしていることが検出されたときに、メモリカードへのアクセスが時系列的に区切れる複数の処理単位からなるときには、処理中の１単位が終了した段階で処理中断させる。
請求項８記載の発明では、前記メモリカードに内蔵されるメモリがフラッシュメモリであって、前記フラッシュメモリに記憶されている、データ書換えの際に生じた無効データのみを消去して空き領域を作る制御を、所定の消去ブロック単位毎に行わせる構成であり、前記アクセス中断手段が、前記消去のためのアクセス中に前記取り外し検出手段で前記操作状態が検出されたときに、消去処理中の１消去ブロックの消去が終了した時点で消去処理を中断させる構成とした。
かかる構成によると、無効データの消去中に、メモリカードを取り外す操作が行われると、そのとき消去していた消去ブロックについての消去が終了した段階で、無効データ消去を中断させる。
【手続補正５】
【補正対象書類名】明細書
【補正対象項目名】００２１
【補正方法】変更
【補正の内容】
【００２１】
請求項５記載の発明によると、アクセス中の処理を途中で中断させることにより、メモリカードを取り外そうとした時点から早期に取り外し可能な状態にできるという効果がある。
請求項６記載の発明によると、フラッシュメモリの無効データの消去が全て終了するまでの比較的長い時間、メモリカードの取り外しが阻止されることがなく、メモリカードの取り外しを早期に許容できるという効果がある。
請求項７記載の発明によると、アクセス中の処理を途中で中断させることにより、メモリカードを取り外そうとした時点から早期にメモリカードの取り外しを許容できるようになるという効果がある。
請求項８記載の発明によると、無効データの消去中に、メモリカードを取り外す操作が行われると、そのとき消去していた消去ブロックについての消去が終了した段階で、無効データ消去を中断させるので、未消去の消去ブロックを残したまま、メモリカードの取り外しを早期に許容できるようになるという効果がある。